(57)【要約】【課題】  除湿乾燥装置等が設置された除湿乾燥ユニットを容易に機外に取出すことができ、また、風路内に塵埃や衣類クズ等が付着したり堆積したりするのを防止することのできる除湿乾燥機を提供する。【解決手段】  外箱１内の下部に設けた仕切り板２１により下部空間部３１を形成し、この下部空間部３１内に除湿乾燥装置１５、送風装置１６、ドレンタンク１７、制御装置１８を備えた除湿乾燥ユニット１０が設置され、仕切り板２１の上部に乾燥室３２が設けられた除湿乾燥機において、仕切り板２１を着脱可能に構成し、又は下部空間部３１に扉４ａを有する開口部２ａを設け、仕切り板２１を取外し、又は扉４ａを開放することにより除湿乾燥ユニット１０を機外に取出すようにした。【選択図】図１
2005114221.tif 000002
【特許請求の範囲】
【請求項１】
外箱内の下部に設けた仕切り板により下部空間部を形成し、該下部空間部内に除湿乾燥装置、送風装置、ドレンタンク、制御装置を備えた除湿乾燥ユニットが設置され、前記仕切り板の上部に乾燥室が設けられた除湿乾燥機において、
前記仕切り板を着脱可能に構成し、又は前記下部空間部に扉を有する開口部を設け、前記仕切り板を取外し、又は前記扉を開放することにより前記除湿乾燥ユニットを機外に取出すようにしたことを特徴とする除湿乾燥機。
【請求項２】
前記仕切り板に、吸込み側開口部と吹出し側開口部とを設け、該吹出し側開口部に着脱可能にろ過装置を装着したことを特徴とする請求項１記載の除湿乾燥装置。
【請求項３】
前記仕切り板の吹出し側開口部に装着したろ過装置を、空気の吹出し方向が異なるように構成したことを特徴とする請求項２記載の除湿乾燥機。
【発明の詳細な説明】
【技術分野】
【０００１】
本発明は、除湿乾燥機に係り、さらに詳しくは、衣類等の除湿乾燥空間及びこの除湿乾燥空間の下部又は下部近傍に設置され機外に取出しが容易な除湿乾燥ユニットを有し、効率的に衣類等を乾燥することのできる除湿乾燥機に関するものである。
【背景技術】
【０００２】
従来の衣類乾燥機においては、乾燥庫の下部に乾燥手段を配置し、運転時には乾燥庫の下部に設けた吸気口から吸い込まれた庫外空気が、最終的に衣類の水分を奪った高湿の空気となり、上部に設けた排気口から機外に排出するようになっている（例えば、特許文献１参照）。
【特許文献１】特開２００２−９９７号公報（第２−３頁、図１）
【発明の開示】
【発明が解決しようとする課題】
【０００３】
特許文献１の衣類乾燥機においは、乾燥庫に乾燥手段を配置し、運転時は乾燥庫の吸気口から庫外空気を吸入し、最終的に衣類の水分を奪った空気を排気口から機外に排出するようにしている。そのため、乾燥手段を乾燥庫の吸気口から排気口まで連通した風路内に、有機的に結合し設置する必要があり、その結果、メンテナンス時に乾燥手段を容易に機外に取り出すことができなかった。
また、風路を有機的に完全に結合しているため、風路内に塵埃や衣類クズ等が堆積しても容易に除去することができないという構造上の問題もあった。
【０００４】
本発明は、上述のような課題を解決するためになされたもので、除湿乾燥ユニットを容易に機外に取り出すことのできる除湿乾燥機を提供することを第１の目的とするものである。
また、風路内に塵埃や衣類クズ等が付着したり堆積したりするのを防止することのできる除湿乾燥機を提供することを第２の目的とするものである。
【課題を解決するための手段】
【０００５】
本発明は、外箱内の下部に設けた仕切り板により下部空間部を形成し、該下部空間部内に除湿乾燥装置、送風装置、ドレンタンク、制御装置を備えた除湿乾燥ユニットが設置され、前記仕切り板の上部に乾燥室が設けられた除湿乾燥機において、前記仕切り板を着脱可能に構成し、又は前記下部空間部に扉を有する開口部を設け、前記仕切り板を取外し、又は前記扉を開放することにより前記除湿乾燥ユニットを機外に取出すようにしたものである。
【発明の効果】
【０００６】
本発明に係る除湿乾燥機は、仕切り板を取外し、又は下部空間部に設けた開口部の扉を開放して除湿乾燥ユニットを機外に取出すようにしたので、除湿乾燥ユニットの機外への取出しが容易でメンテナンス等の効率化をはかることができる。
また、これによりドレンタンクに溜ったドレンを簡単に廃棄することができ、その上ドレンの機外排出用配管等の設置が不要なので、設置費用を低減できるばかりでなく、設置場所の自由度を大幅に拡大することができる。
【発明を実施するための最良の形態】
【０００７】
［実施の形態１］
図１は本発明の実施の形態１に係る除湿乾燥機の正断面図、図２は図１のＡ−Ａ断面図である。
両図において、除湿乾燥機の外郭を構成する外箱１は、後述の除湿室乾燥ユニット１０の収容部（下部空間部３１）を除く前面側に開口部２が設けられており、外箱１の下部（下部空間部３１）を除く内面には断熱材３が張り付けられている。４は開口部２に開閉自在に設けられた開閉扉で、この開閉扉４若しくはその近傍又は同一平面上には表示部５及び操作部６が設けられている。
【０００８】
また、外箱１内の下部には、上部が開口された筐体１１と、空気吸込み口１３及び空気吹出し口１４を有し、筐体１１の開口部にねじ止め等により着脱可能に取付けられた上板１２とからなり、内部に除湿乾燥装置１５、送風装置１６、除湿により発生したドレンを貯蔵するドレンタンク１７及び制御装置１８が収容された除湿乾燥ユニット１０が設置されている。
【０００９】
外箱１の両側壁の除湿乾燥ユニット１０の直上にはガイドレール２０が設けられており、このガイドレール２０上には、下部仕切り板２１が前後方向に摺動可能に載置されている。この下部仕切り板２１には除湿乾燥ユニット１０の空気吸込み口１３に対向して吸込み側開口部２２が、また、空気吹出し口１４に対向して吹出し側開口部２３が設けられており、吹出し側開口部２３には、塵埃等が風路内に侵入するのを防止するためにろ過装置２４が着脱可能に取付けられている。このろ過装置２４は、塵埃等が堆積しにくく、効率よく風を排出できるように、平面形状あるいは図示のように半円形状のものを用いることが望ましい。なお、除湿乾燥ユニット１０の上板１２及び下部仕切り板２１に、それぞれ１個の空気吹出し口１４及び吹出し側開口２３を設けた場合を示したが、それぞれ２個以上設けてもよい。
【００１０】
外箱１内の上部には、外箱１の天板との間に上部空間部３３を介して外箱１の両側壁及び後壁に固定された上部仕切り板２５が設けられており、この上部仕切り板２５には開口部２６が設けられて、乾燥する衣類等から排出された塵埃や衣類クズ等が風路内に付着、堆積しあるいは除湿乾燥ユニット１０に吸引されるのを防止するために、ろ過装置２７が着脱可能に取付けられている。
【００１１】
また、外箱１内の一方の側（図１の左側）には、外箱１の側板との間に下部が下部仕切り板２１の吸込み側開口部２２と連通する側方空間部３４を介して横仕切り板２８が設けられており、この横仕切り板２８は外箱１の後壁及び上部仕切り板２５にそれぞれ固定され、下端部は下部仕切り板２１に近接して設置されている。
そして、外箱１内はこれら下部仕切り板２１、上部仕切り板２５及び横仕切り板２８により、下部空間部３１、乾燥空間部（乾燥室）３２、上部空間部３３及び側方空間部３４に分割されているが、これら各空間部は互いに連通して１つの乾燥風路３０を形成している。
【００１２】
３５は乾燥室３２の上部に設けたハンガーポールである。なお、図にはハンガーポール３５を１本設けた場合を示してあるが、複数本設けてもよい。３６は空間部３０内の空気が外部に漏れるのを防止するために、開閉扉４の内面に設けたシール材である。なお、外箱１、開閉扉４、下部仕切り板２１、上部仕切り板２５及び横仕切り板２８の乾燥室３２に面した部分には、防湿対策を施した材料を使用してもよい。
【００１３】
上記のように構成した除湿乾燥機により衣類等４０を乾燥するには、開閉扉４を開放して、例えば衣類等４０が掛けられたハンガー４１をハンガーポール３５に掛けて乾燥室３２内に収納し、開閉扉４を閉じる。ついで、操作部６を操作して除湿乾燥ユニット１０の除湿乾燥装置１５及び送風装置１６に通電し、乾燥工程に移る。衣類等４０を乾燥させるための除湿乾燥装置１５からの低湿空気は、送風装置１６により除湿乾燥ユニット１０の空気吹出し口１４、下部仕切り板２１の吹出し側開口部２３、ろ過装置２４を経て乾燥室３２に送り込まれる。
【００１４】
乾燥室３２に送られた低湿空気は、衣類等４０を乾燥させて水分を吸収し、高湿空気となって上部仕切り板２５のろ過装置２７、開口部２６を通り、上部空間部３３に流入する。さらに、側方空間部３４を通って吸込み側開口部２２、空気吸込み口１３を経て下部空間部３１に戻り、除湿乾燥装置１５により再び低湿空気となって乾燥風路３０を循環し、以降衣類等４０が乾燥するまでこの工程を繰返す。このとき、除湿乾燥装置１５により高湿空気から分離された水分は、凝縮されたのちドレンタンク１７に回収される。
衣類等４０が乾燥したときは、操作部６を操作して除湿乾燥装置１５等への通電をＯＦＦし、開閉扉４を開いて衣類等４０を取出す。
【００１５】
上記のように構成した本実施の形態において、除湿乾燥ユニット１０のメンテナンス等を行う場合は、図３に示すように、開閉扉４を開放し、下部仕切り板２１をガイドレール２０に沿って矢印方向（開口部２側）に引き出して取外し、除湿乾燥ユニット１０の上部を開放することにより、除湿乾燥ユニット１０を開口部２から機外へ容易に取出すことができるので、メンテナンス等の効率化をはかることができる。
【００１６】
また、下部仕切り板２１を取外した状態で、除湿乾燥ユニット１０の上板１２を取外すことにより、ドレンが溜ったドレンタンク１７を取出して容易にドレンを廃棄することができる。また、これにより、ドレンの機外排出用配管等の設置が不要なので、設置費用を低減できるばかりでなく、除湿乾燥機の設置場所の自由度を大幅に拡大することができる。
【００１７】
さらに、下部仕切り板２１及び上部仕り切板２５に設けた開口部２３，２６に、それぞれろ過装置２４，２７を着脱可能に設けたので、乾燥風路３０内への塵埃や衣類クズ等の侵入を防止することができるばかりでなく、これらろ過装置２４，２７に付着し、堆積した塵埃や衣類クズ等を容易に除去することができる。特に、ろ過装置２４を半円形状に形成した場合は、塵埃や衣類クズ等が付着、堆積しにくいばかりでなく、吹出す空気の方向も広範囲になり衣類等４０を均等に乾燥できるので、乾燥効率をより向上することができる。
【００１８】
［実施の形態２］
図４は本発明の実施の形態２に係る除湿乾燥機の縦断面図（図１のＡ−Ａ断面に相当）である。なお、実施の形態１と同じ部分にはこれと同じ符号を付し、説明を省略する。
実施の形態１では、下部仕切り板２１を取外すことにより除湿乾燥ユニット１０を機外に取出すようにしたが、本実施の形態においては、外箱１の除湿乾燥ユニット１０が収容された下部空間部３１の前面側に開口部２ａを設け、この開口部２ａに開閉扉４とは独立して開閉できるユニット取出し用扉４ａを設けたものである。
【００１９】
これにより、ユニット取出し用扉４ａを開放することにより、下部仕切り板２１を取外して除湿乾燥ユニット１０を持ち上げることなく、開口部２ａから前方に引出すことができるので、メンテナンス等の効率化をより向上することができる。なお、この場合、除湿乾燥ユニット１０の筐体１１の底部にローラ（図示せず）を設ければ、除湿乾燥ユニット１０の引出しがさらに容易になる。上記の説明では、外箱１の下部空間部３１の前面側に開口部２ａを設け、この開口部２ａにユニット取出し用扉４ａを設けた場合を示したが、開口部２ａを外箱１の側面又は後面に設け、この開口部２ａにユニット取出し用扉４ａを設けてもよい。
【００２０】
なお、除湿乾燥ユニット１０のドレンタンク１７からドレン排出パイプ３７を引き出し、外箱１に設けた開口部１ａから機外に取出して、ドレンタンク１７内のドレンをドレン排出パイプ３７を介して機外に排出するようにすれば、ドレン排出の都度下部仕切り板２１を外したり、ユニット取出し用扉４ａを開放して除湿乾燥ユニット１０を引出したりして、ドレンタンク１７を取出す必要がないので、便利である。
【００２１】
本実施の形態の作用は、除湿乾燥ユニット１０の機外への取出し手段及びドレンの排出手段以外は、実施の形態１の場合と同様である。また、上述の効果に合わせて、実施の形態１と同様の効果を得ることができる。
【図面の簡単な説明】
【００２２】
【図１】本発明の実施の形態１に係る除湿乾燥機の正断面図である。
【図２】図１のＡ−Ａ断面図である。
【図３】実施の形態１の作用説明図である。
【図４】本発明の実施の形態２に係る除湿乾燥機の縦断面図である。
【符号の説明】
【００２３】
１  外箱、２，２ａ  開口部、４  開閉扉、４ａ  ユニット取出し用扉、１０  除湿乾燥ユニット、１５  除湿乾燥装置、１６  送風装置、１７  ドレンタンク、１８  制御装置、２１  下部仕切り板、２２  吸込み側開口部、２３  吹出し側開口部、２４，２７  ろ過装置、２５  上部仕切り板、２８  横仕切り板、３０  乾燥風路、３１  下部空間部、３２  乾燥空間部（乾燥室）、３３  上部空間部、３４  側方空間部、３７  ドレン排出パイプ、４０  衣類等。
【図１】
2005114221.tif 000003
【図２】
2005114221.tif 000004
【図３】
2005114221.tif 000005
【図４】
2005114221.tif 000006